【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】  
【請求項１】  予め設定される経路に従って、経路案内を行うナビゲーション装置において、
前記経路案内を行う案内地点の情報と、該案内地点と該案内地点の直前に案内される案内地点との間の情報と、を表す案内地点データを生成するデータ生成手段と、
前記データ生成手段によって生成された前記案内地点データを格納するデータ記憶手段と、
前記データ記憶手段に格納されている該案内地点の直前に案内される案内地点についての案内地点データを参照して経路案内を行うデータ案内手段と、
を備えたことを特徴とする車両用ナビゲーション装置。
【請求項２】  該案内地点と該案内地点の直前に案内される案内地点との間の情報は、該案内地点と該案内地点の直前に案内される案内地点との距離であることを特徴とする請求項１記載のナビゲーション装置。
【請求項３】  該案内地点と該案内地点の直前に案内される案内地点との間の情報は、該案内地点の情報と該案内地点の直後に案内される情報とを連続的に案内する音声フレーズであることを特徴とする請求項１または２記載のナビゲーション装置。
【請求項４】  該案内地点と該案内直後の直前に案内される案内地点との間の情報は、該案内地点の情報と該案内地点の直後に案内される情報とを連続的に案内するための拡大図であることを特徴とする請求項１〜３のいずれかに記載のナビゲーション装置。
【請求項５】  該案内地点と該案内地点の直前に案内される案内地点との間の情報は、該案内地点の情報と該案内地点の直後に案内される情報に共通する方面名称であることを特徴とする請求項１〜４のいずれかに記載のナビゲーション装置。
【請求項６】  予め設定される経路に従って、複数の案内地点で経路案内を行うナビゲーション装置において、
前記経路上における第１の案内地点の後方側の第２案内地点に前記第１の案内地点と前記第２の案内地点との間に関するデータを格納するデータ記憶手段と、
前記第１の案内地点では、前記第２の案内地点データを参照して経路案内を行うデータ案内手段と、を備えることを特徴とするナビゲーション装置。
【請求項７】  予め設定される経路に従って、複数の案内地点で経路案内を行うナビゲーション方法において、
前記経路上における第１の案内地点では、前記第１の案内地点と前記第１の案内地点の後方側の第２の案内地点との間に関するデータを含む第２の案内地点データを参照して経路案内を行うことを特徴とするナビゲーション方法。
【請求項８】  経路案内を行うナビゲーション装置において、
少なくとも２つの方向に分岐する第１の分岐点よりも手前の第２の分岐点の案内として、前記第１の分岐点で進行すべき方面名称を案内する経路案内手段を有することを特徴とするナビゲーション装置。
【手続補正２】
【補正対象書類名】明細書
【補正対象項目名】０００８
【補正方法】変更
【補正の内容】
【０００８】
【課題を解決するための手段】
本発明は、予め設定される経路に従って、経路案内を行うナビゲーション装置において、
前記経路案内を行う案内地点の情報と、該案内地点と該案内地点の直前に案内される案内地点との間の情報と、を表す案内地点データを生成するデータ生成手段と、
前記データ生成手段によって生成された前記案内地点データを格納するデータ記憶手段と、
前記データ記憶手段に格納されている該案内地点の直前に案内される案内地点についての案内地点データを読み出して経路案内を行うデータ案内手段と、
を備えたことを特徴とする車両用ナビゲーション装置である。
【手続補正３】
【補正対象書類名】明細書
【補正対象項目名】０００９
【補正方法】変更
【補正の内容】
【０００９】
本発明に従えば、車両用ナビゲーション装置は、予め設定される経路に従って、経路案内を行い、データ生成手段、データ記憶手段、データ案内手段を含む。データ生成手段は、各案内地点で生成する案内地点データに、その案内地点に対し経路で直前に設定される案内地点との間に関する情報を含める。データ案内手段は、経路に従って各案内地点についての案内地点データを読み出して車両の案内を行う際に、その案内地点直後の案内地点についての案内地点データを参照して、案内地点間に関する情報についても案内を行う。案内地点間に関する情報は、経路上後方の案内地点側に、後方側の案内地点自体についての案内地点データとともに、データ生成手段によって生成される。案内地点データ生成の時点では、経路上先行する案内地点は既に決まっており、その案内地点データも確定しているので、後続の案内地点についての案内地点データの生成とともに案内地点間に関する情報も容易に確定させることができ、案内地点データの作成処理を円滑化することができる。
【手続補正４】
【補正対象書類名】明細書
【補正対象項目名】００１０
【補正方法】変更
【補正の内容】
【００１０】
また本発明で前記案内地点と該案内地点の直前に案内される案内地点との間の情報は、該案内地点と該案内地点の直前に案内される案内地点との距離であることを特徴とする。
【手続補正５】
【補正対象書類名】明細書
【補正対象項目名】００１１
【補正方法】変更
【補正の内容】
【００１１】
本発明に従えば、案内地点前記案内地点と該案内地点の直前に案内される案内地点との間の情報は、該案内地点と該案内地点の直前に案内される案内地点との距離であり、この距離に基づいて先行する案内地点と後続の案内地点とを連続して案内するか否かを判断することができる。
【手続補正６】
【補正対象書類名】明細書
【補正対象項目名】００１２
【補正方法】変更
【補正の内容】
【００１２】
また本発明で前記案内地点と該案内地点の直前に案内される案内地点との間の情報は、該案内地点の情報と該案内地点の直後に案内される情報とを連続的に案内する音声フレーズであることを特徴とする。
【手続補正７】
【補正対象書類名】明細書
【補正対象項目名】００１３
【補正方法】変更
【補正の内容】
【００１３】
本発明に従えば、前記案内地点と該案内地点の直前に案内される案内地点との間の情報は、該案内地点の情報と該案内地点の直後に案内される情報とを連続的に案内を行う音声フレーズであり、音声フレーズを再生して、両方の案内地点についての案内を円滑に行うことができる。
【手続補正８】
【補正対象書類名】明細書
【補正対象項目名】００１４
【補正方法】変更
【補正の内容】
【００１４】
また本発明で前記案内地点と該案内直後の直前に案内される案内地点との間の情報は、該案内地点の情報と該案内地点の直後に案内される情報とを連続的に案内するための拡大図であることを特徴とする。
【手続補正９】
【補正対象書類名】明細書
【補正対象項目名】００１５
【補正方法】変更
【補正の内容】
【００１５】
本発明に従えば、案内地点と該案内直後の直前に案内される案内地点との間の情報は、案内地点の情報と該案内地点の直後に案内される情報とを連続的に案内を行うための拡大図であり、拡大図を表示して、連続した経路案内を判りやすく行うことができる。
【手続補正１０】
【補正対象書類名】明細書
【補正対象項目名】００１６
【補正方法】変更
【補正の内容】
【００１６】
また本発明で前記案内地点と該案内地点の直前に案内される案内地点との間の情報は、該案内地点の情報と該案内地点の直後に案内される情報に共通する方面名称であることを特徴とする。
【手続補正１１】
【補正対象書類名】明細書
【補正対象項目名】００１７
【補正方法】変更
【補正の内容】
【００１７】
本発明に従えば、案内地点と該案内地点の直前に案内される案内地点との間の情報は、該案内地点の情報と該案内地点の直後に案内される情報に共通する方面名称であり、先行する案内地点で複数の方面名称が存在しても、後方の案内地点と共通する方面名称を用いて、経路に沿った案内を判りやすく行うことができる。
また本発明は、予め設定される経路に従って、複数の案内地点で経路案内を行うナビゲーション装置において、
前記経路上における第１の案内地点の後方側の第２案内地点に前記第１の案内地点と前記第２の案内地点との間に関するデータを格納するデータ記憶手段と、
前記第１の案内地点では、前記第２の案内地点データを参照して経路案内を行うデータ案内手段と、を備えることを特徴とするナビゲーション装置である。
また本発明は、予め設定される経路に従って、複数の案内地点で経路案内を行うナビゲーション方法において、
前記経路上における第１の案内地点では、前記第１の案内地点と前記第１の案内地点の後方側の第２の案内地点との間に関するデータを含む第２の案内地点データを参照して経路案内を行うことを特徴とするナビゲーション方法。
また本発明は、経路案内を行うナビゲーション装置において、
少なくとも２つの方向に分岐する第１の分岐点よりも手前の第２の分岐点の案内として、前記第１の分岐点で進行すべき方面名称を案内する経路案内手段を有することを特徴とするナビゲーション装置である。
【手続補正１２】
【補正対象書類名】明細書
【補正対象項目名】００２５
【補正方法】変更
【補正の内容】
【００２５】
図３は、経路に沿って設定される案内地点データのデータ構造を示す。経路の始点側から終点側の順に、案内地点に対応して、案内地点データ４０，４１，４２，…がそれぞれ図１のデータ生成手段１２によって生成され、記憶装置６に格納される。案内地点データ４０，４１，４２，…には、その案内地点自体についての情報である地点データ部４０ａ，４１ａ，４２ａ，…と、手前側に隣接する案内地点（直前に案内される案内地点）との間についての情報である地点間データ部４０ｂ，４１ｂ，４２ｂ，…とが含まれる。地点データ部４０ａ，４１ａ，４２ａ，…は、その案内地点についての位置を示す「位置情報」、車両を案内すべき方位を示す「案内方位」、およびその案内地点が交差点であるときの「交差点名称」などを含む。地点間データ部４０ｂ，４１ｂ，４２ｂ，…は、案内地点間の距離を示す「前の案内地点までの距離」、案内地点を連続して音声案内するための「連続案内フレーズ」、分岐点などが案内地点となるときに、分岐方向を案内するための「方面名称」、案内地点を画像で連続するための「連続拡大図データ」などを含む。
【手続補正１３】
【補正対象書類名】明細書
【補正対象項目名】００３１
【補正方法】変更
【補正の内容】
【００３１】
【発明の効果】
以上のように本発明によれば、案内地点データ生成の時点では、経路上先行する案内地点は既に決まっており、案内地点データの作成処理を円滑化することができる。いったん生成された案内地点データに、後から案内地点間の情報を付加することがないので、案内地点データの管理も簡易化することができる。
【手続補正１４】
【補正対象書類名】明細書
【補正対象項目名】００３２
【補正方法】変更
【補正の内容】
【００３２】
また本発明によれば、案内地点と該案内地点の直前に案内される案内地点との間の情報は、該案内地点と該案内地点の直前に案内される案内地点との距離であり、この距離に基づいて先行する案内地点と後続の案内地点とを連続して案内するか否かを判断することができる。
【手続補正１５】
【補正対象書類名】明細書
【補正対象項目名】００３３
【補正方法】変更
【補正の内容】
【００３３】
また本発明によれば、案内地点と該案内地点の直前に案内される案内地点との間の情報は、該案内地点の情報と該案内地点の直後に案内される情報とを連続的に案内する音声フレーズであり、音声フレーズを再生して、両方の案内地点についての案内を円滑に行うことができる。
【手続補正１６】
【補正対象書類名】明細書
【補正対象項目名】００３４
【補正方法】変更
【補正の内容】
【００３４】
また本発明によれば、案内地点と該案内直後の直前に案内される案内地点との間の情報は、該案内地点の情報と該案内地点の直後に案内される情報とを連続的に案内するための拡大図であり、拡大図を表示して、連続した経路案内を判りやすく行うことができる。
【手続補正１７】
【補正対象書類名】明細書
【補正対象項目名】００３５
【補正方法】変更
【補正の内容】
【００３５】
また本発明によれば、案内地点と該案内地点の直前に案内される案内地点との間の情報は、該案内地点の情報と該案内地点の直後に案内される情報に共通する方面名称を用いて、経路に沿った案内を判りやすく行うことができる。